(57)【要約】【課題】小型化が可能で安価に製造できる液晶表示装置を提供すること。【解決手段】第１液晶表示素子１０と第２液晶表示素子２０とを重ね合わせてなる液晶表示装置１において、前記両液晶表示素子１０、２０間に１枚の導光板３１を介装し、この導光板３１の異なる側面に対向するように異なる色の光を発光する光源３２Ａ、３２Ｂを配設する。【選択図】図１
2007178797.tif 000002
【特許請求の範囲】
【請求項１】
第１液晶表示素子と第２液晶表示素子とを重ね合わせてなる液晶表示装置において、
前記両液晶表示素子間に１枚の導光板を介装し、この導光板の異なる側面に対向するように異なる色の光を発光する光源を配設したことを特徴とする液晶表示装置。
【請求項２】
前記両光源に通電する１枚の可撓配線基板を配設した請求項１に記載の液晶表示装置。
【発明の詳細な説明】
【技術分野】
【０００１】
本発明は、液晶表示装置に係り、特に、相互に反対側から視認可能な２つの液晶表示素子を有する液晶表示装置に関する。
【背景技術】
【０００２】
従来から折りたたみ式携帯電話のように、相互に反対側から視認可能な２つの液晶表示素子を背中合わせに配設する、すなわち、２つの液晶表示素子の反観察者側を対向させて重ね合わせてなる各種の液晶表示装置が知られている。
【０００３】
このような従来の液晶表示装置においては、光源からの光を個々の液晶表示素子に導くため各液晶表示素子にそれぞれ対応する導光板が配設されているため、全体として２枚の導光板を有する必要があった（例えば、特許文献１参照）。
【０００４】
【特許文献１】特開２００４−１９３６９６号公報
【発明の開示】
【発明が解決しようとする課題】
【０００５】
しかしながら、前述した公報記載の液晶表示装置においては、２枚の導光板を使用しなければならないため、液晶表示装置の肉厚が厚く、小型化が困難であったし、また、部品点数が多く、コスト高になっていた。
【０００６】
そこで、本発明は、小型化が可能で安価に製造できる液晶表示装置を提供することを目的とするものである。
【課題を解決するための手段】
【０００７】
前述した目的を達成するため、本発明の液晶表示装置の特徴は、第１液晶表示素子と第２液晶表示素子とを重ね合わせてなる液晶表示装置において、前記両液晶表示素子間に１枚の導光板を介装し、この導光板の異なる側面に対向するように異なる色の光を発光する光源を配設した点にある。そして、このような構成を採用したことにより、１枚の導光板により両液晶表示素子に光源からの光を導くことができる。
【０００８】
本発明の他の液晶表示装置の特徴は、前記両光源に通電する１枚の可撓配線基板を配設した点にある。そして、このような構成を採用したことにより、１枚の可撓配線基板のみで両光源に通電することができる。
【発明の効果】
【０００９】
本発明によれば、１枚の導光板により両液晶表示素子に光源からの光を導くことができるので、１枚の導光板のみで両液晶表示素子を発光させることができ、小型化が可能で、しかも、安価に製造することができる。また、２つの液晶表示素子の表示色が異なるので、美粧性に優れた液晶表示装置を提供することができる。
【００１０】
また、１枚の可撓配線基板のみで両光源に通電することができるので、さらに安価に製造することができる。
【発明を実施するための最良の形態】
【００１１】
本発明に係る液晶表示装置の実施形態を図１および図２を用いて説明する。図１は本実施形態における要部構造を説明するための概略断面図、図２は同じく概略平面図である。
【００１２】
本実施形態の液晶表示装置１は、大型の第１液晶表示素子１０と、この第１液晶表示素子１０より小型の第２液晶表示素子２０とを有しており、これらの両液晶表示素子１０、２０は、相互に反対側から視認可能となるように相互に背中合わせに重ね合わされている。
【００１３】
前記両液晶表示素子１０、２０は、それぞれ１対の透明基板１１Ａ、１１Ｂ：２１Ａ、２１Ｂを有しており、両透明基板１１Ａ、１１Ｂ：２１Ａ、２１Ｂ間には、液晶（図示せず）が封入されている。
【００１４】
前記各透明基板１１Ａ、１１Ｂ、２１Ａ、２１Ｂの内表面には、それぞれ図示しない複数の透明電極が、両透明基板１１Ａ、１１Ｂ：２１Ａ、２１Ｂにおいて相互に交差するように形成されている。また、各透明基板１１Ａ、１１Ｂ、２１Ａ、２１Ｂの外表面には、それぞれ偏光板１２Ａ、１２Ｂ、２２Ａ、２２Ｂが貼設されている。
【００１５】
前記両液晶表示素子１０、２０において、平面形状が他の透明基板１１Ｂ、２１Ｂより大きな透明基板１１Ａ、２１Ａの端部には、図示しない前記各透明電極に連通する複数の電極端子が形成されており、各透明基板１１Ａ、２１Ａの端部には、前記電極端子に給電するための可撓配線基板（図示せず）が接続されている。
【００１６】
前記両液晶表示素子１０、２０の間には、各液晶表示素子１０、２０の各表示領域１３（液晶表示素子２０の表示領域は図示を省略）に対向するバックライト３０の１枚の導光板３１が介装されており、両液晶表示素子１０、２０は、それぞれ、表示領域を位置させる開口部４１が形成された窓枠状の遮光両面粘着テープ４０によって導光板３１に貼着されている。
【００１７】
ここで、前記導光板３１は、大型の第１液晶表示素子１０と略同形の平面略矩形状に形成されており、本実施形態においては、前記第２液晶表示素子２０は、前記第１液晶表示素子１０およびそれと略同形状に形成された導光板３１の長手方向一端側（図１および図２において上側）の短手方向中央部に位置するように配設されている。そして、前記導光板３１の側方には、異なる側面に対向させて、異なる色の光を発光する光源３２がそれぞれ配設されている。具体的には、前記光源３２は、前記導光板３１の長手方向における両端部に位置する側面にそれぞれ対向させて配設されており、そのうち、前記第２液晶表示素子２０の反配設側に位置する側面に対向させて配設された第１光源３２Ａは３個の白色ＬＥＤ３３Ａが前記導光板３１の短手方向に等間隔に配置されており、前記第２液晶表示素子２０の配設側に位置する側面に対向させて配設された第２光源３２Ｂは１個の着色ＬＥＤ３３Ｂが前記導光板３１の短手方向中央部に配置されている。
【００１８】
そして、両光源３２Ａ、３２Ｂを構成する各ＬＥＤ３３は、液晶表示装置１における非表示領域に配設された可撓配線基板３４から電極端子（図示せず）を通じて両光源３２Ａ、３２Ｂに選択的に給電されるようになされている。この可撓配線基板３４は、第１光源３２Ａに給電する主幹部から第２光源３２Ｂに給電するための延在部分が延長形成されており、略コ字状となっている。また、主幹部の反延在部分側には図示しない電源部に接続される。なお、前記第２光源３２Ｂを構成する１個の着色ＬＥＤ３３Ｂは、赤、青、緑などの各種カラーを採用することが可能である。
【００１９】
そして、導光板３１を有するバックライト３０と、前記導光板３１を介装させて配設された両液晶表示素子１０、２０は、該液晶表示装置１の反射ケースを兼ねた筐体２内に収納されている。なお、図２には、前記筐体２と導光板３１、第１光源３２Ａ、第２光源３２Ｂ、可撓配線基板３４の位置関係のみを示す。
【００２０】
つぎに、前述した構成からなる本実施形態の液晶表示装置の作用および効果について説明する。
【００２１】
本実施形態の液晶表示装置１においては、大型の第１液晶表示素子１０を用いて表示を行なう場合には、所望の情報データに基づいて、前記第１液晶表示素子１０の電極端子に可撓配線基板（図示せず）を介して給電するとともに、前記バックライト３０の第１光源３２Ａの白色ＬＥＤ３３Ａに前記可撓配線基板３４を介して給電するようにする。そのとき、第１光源３２Ａの白色ＬＥＤ３３Ａは可撓配線基板３４を介して供給される電力によって発光し、前記白色ＬＥＤ３３Ａから発光される照射光は、前記導光板３１によって面光源として機能し、第１液晶表示素子１０に均一に白色の照射光を照射する。これにより、第１液晶表示素子１０に所望の表示を得ることができる。勿論、前記第１液晶表示素子１０がカラーフィルタを備えることにより、所望のマルチカラーの表示を得ることができる。
【００２２】
その際、前記照射光の一部は前記第２液晶表示素子２０にも照射されるが、第２液晶表示素子２０には給電がなされていないので何も表示されない。
【００２３】
また、小型の第２液晶表示素子２０を用いて表示を行なう場合には、所望の情報データに基づいて、前記第２液晶表示素子２０の電極端子に可撓配線基板（図示せず）を介して給電するとともに、前記バックライト３０の第２光源３２Ｂの着色ＬＥＤ３３Ｂに前記可撓配線基板３４を介して給電するようにする。そのとき、第１光源３２Ｂの着色ＬＥＤ３３Ｂは可撓配線基板３４を介して供給される電力によって発光し、前記白色ＬＥＤ３３Ｂから発光される照射光は、前記導光板３１によって面光源として機能し、第２液晶表示素子２０に均一に前記ＬＥＤの着色の照射光を照射する。これにより、第２液晶表示素子２０に所望の表示を得ることができる。また、光源３２のうちの一方の光源色を他方の光源色と異なるように配置することで美粧性に優れた液晶表示装置を提供することができる。
【００２４】
その際、前記照射光の一部は前記第１液晶表示素子２０にも照射されるが、第１液晶表示素子１０には給電がなされていないので何も表示されない。
【００２５】
勿論、第１液晶表示素子１０を用いた表示時に第２光源３２Ｂに給電し、第２光源に配設された着色ＬＥＤ３３Ｂから照射される照射光を用いて所望の表示を得ることも可能であるし、その逆もまた可能であって、使用する液晶表示素子と光源の組み合わせは、液晶表示装置の通電制御によって自由に設計変更することが可能である。
【００２６】
このように、本実施形態の液晶表示装置１は、相互に反対側から視認可能となるように背中合わせに配設された第１液晶表示素子１０と第２液晶表示素子２０との間に介装させた１枚の導光板３１を用い、両液晶表示素子１０、２０に光源３２からの光を導くことにより、両液晶表示素子１０、２０において所望の表示を得ることができる。また、導光板３２の配設枚数を１枚とすることにより、液晶表示装置の小型化が可能となり、しかも、部品点数を削減して安価に製造することができる。
【００２７】
また、１枚の可撓配線基板３４のみで前記両光源３２Ａ、３２Ｂに通電することができるので、部品点数を削減してさらに安価に製造することができるとともに、実装の作業も簡便になる。特に、導光板３２の配設枚数を１枚としたことにより、可撓配線基板３４の配設を簡易にできる。例えば、図２に示すように、光源３３Ｂに給電するための延在部分を遮光両面粘着テープ４０の配設位置に配設することで可撓配線基板３４の固定と遮蔽とを同時に行うことができる。
【００２８】
なお、本発明は、前述した実施の形態に限定されるものではなく、必要に応じて種々の変更が可能である。
【００２９】
例えば、前記第１光源、第２光源を配設する導光板の側面は、本実施形態のように導光板の長手方向に位置する対向壁でなくてもよい。また、第１光源、第２光源を構成する各ＬＥＤの白色、着色の別、配設数、配設位置も本実施形態に限るものではない。例えば、前記第２光源の着色ＬＥＤとして、赤、青、緑の各色ＬＥＤを１つずつ配設してもよい。
【００３０】
また、導光板の第２液晶表示素子の配設側の面に沿って半透過性の反射板を配置してもよい。半透過性の反射板を用いることにより、導光板からの光は第２液晶表示素子側へ透過させつつ、大型のメインパネルとして機能する第１液晶表示素子側へ透過する反射光の光量を多く確保し、輝度を向上させることができる。
【図面の簡単な説明】
【００３１】
【図１】本実施形態における要部構造を説明するための概略断面図
【図２】本実施形態における要部構造を説明するための概略平面図
【符号の説明】
【００３２】
１  液晶表示装置
２  筐体
１０  第１液晶表示素子
１１Ａ、１１Ｂ  透明基板
１２Ａ、１２Ｂ  偏光板
２０  第２液晶表示素子
２１Ａ、２１Ｂ  透明基板
２２Ａ、２２Ｂ  偏光板
３０  バックライト
３１  導光板
３２  光源
３２Ａ  第１光源
３２Ｂ  第２光源
３３Ａ  白色ＬＥＤ
３３Ｂ  着色ＬＥＤ
３４  可撓配線基板
４０  遮光両面粘着テープ
４１  開口部
【図１】
2007178797.tif 000003
【図２】
2007178797.tif 000004